(57)【要約】【課題】効率的かつ確実に、被監督者が持っている興味内容やその興味度を判定して、判定された興味内容や興味度に応じた適切な情報を被監督者および監督者に提供すること。【解決手段】行動分析装置１１０は、取得部３０１と、特定部３０２と、登録部３０３と、判定部３０４と、関連情報取得部３０５と、分析部３０６と、出力部３０７とによって構成されている。取得部３０１は、位置情報および商品状態情報を取得する。特定部３０２は、カード利用者の行動を特定する。登録部３０３は、行動情報をデータベースに登録する。判定部３０４は、カード利用者が興味を示す興味商品およびその興味度を判定する。関連情報取得部３０５は、興味商品に関連する関連情報を取得する。分析部３０６は、カード利用者がおこなった興味商品に対する行動を分析する。出力部３０７は、提示データを出力する。【選択図】図３
2008217128.tif 000002
【特許請求の範囲】
【請求項１】
所定の店舗内において検出された被監督者の位置に関する情報（以下、「位置情報」という）、および前記所定の店舗内において検出された商品の状態に関する情報（以下、「商品状態情報」という）を取得する取得工程と、
前記取得工程によって取得された位置情報および商品状態情報に基づいて、前記所定の店舗内における前記被監督者の行動を特定する特定工程と、
前記特定工程によって特定された前記所定の店舗内における前記被監督者の行動に基づいて、前記被監督者が興味を示した商品（以下、「興味商品」という）およびその興味度を判定する判定工程と、
前記判定工程によって判定された興味商品およびその興味度に関する情報を出力する出力工程と、
をコンピュータに実行させることを特徴とする行動分析方法。
【請求項２】
前記商品状態情報は、商品の位置に関する情報、商品のひずみ量に関する情報、の少なくともいずれか一方を含むことを特徴とする請求項１に記載の行動分析方法。
【請求項３】
前記判定工程によって判定された興味商品に関連する情報を取得する関連情報取得工程をさらに備え、
前記出力工程は、
前記関連情報取得工程によって取得された興味商品に関連する情報を出力することを特徴とする請求項１または２に記載の行動分析方法。
【請求項４】
前記特定工程によって特定された前記所定の店舗内における前記被監督者の行動を分析する分析工程をさらに備え、
前記出力工程は、
前記分析工程によって分析された結果に関する情報を出力する出力工程と、
を備えたことを特徴とする請求項１〜３のいずれか一つに記載の行動分析方法。
【請求項５】
所定の店舗内において検出された被監督者の位置に関する情報（以下、「位置情報」という）、および前記所定の店舗内において検出された商品の状態に関する情報（以下、「商品状態情報」という）を取得する取得工程と、
前記取得工程によって取得された位置情報および商品状態情報に基づいて、前記所定の店舗内における前記被監督者の行動を特定する特定工程と、
前記特定工程によって特定された前記所定の店舗内における前記被監督者の行動に基づいて、前記被監督者が興味を示した商品（以下、「興味商品」という）およびその興味度を判定する判定工程と、
前記判定工程によって判定された興味商品およびその興味度に関する情報を出力する出力工程と、
をコンピュータに実行させることを特徴とする行動分析プログラム。
【請求項６】
所定の店舗内において検出された被監督者の位置に関する情報（以下、「位置情報」という）、および前記所定の店舗内において検出された商品の状態に関する情報（以下、「商品状態情報」という）を取得する取得手段と、
前記取得手段によって取得された位置情報および商品状態情報に基づいて、前記所定の店舗内における前記被監督者の行動を特定する特定手段と、
前記特定手段によって特定された前記所定の店舗内における前記被監督者の行動に基づいて、前記被監督者が興味を示した商品（以下、「興味商品」という）およびその興味度を判定する判定手段と、
前記判定手段によって判定された興味商品およびその興味度に関する情報を出力する出力手段と、
を備えたことを特徴とする行動分析装置。
【発明の詳細な説明】
【技術分野】
【０００１】
この発明は、カード利用者の行動を分析する行動分析装置、行動分析方法、および行動分析プログラムに関する。
【背景技術】
【０００２】
近年、子供に対する誘拐などの犯罪が増加する傾向にあり、多くの保護者などから、子供の行動を詳細に把握することができるサービスの提供が望まれていた。そこで、子供の現在位置を検出し、検出した位置情報を、保護者が利用する端末装置へ送信することによって、子供の現在位置を保護者に把握させることができる行動監視システムが考案されている（たとえば、下記特許文献１参照。）。
【０００３】
【特許文献１】特開２００３−２８１６９４号公報
【発明の開示】
【発明が解決しようとする課題】
【０００４】
しかしながら、上記特許文献１に記載の従来技術にあっては、現在もしくは過去に子供がおこなった行動を把握することができるものの、子供が持つ潜在的な興味までは把握することができない。特に、親子間のコミュニケーション不足が問題となっている昨今においては、子供の興味を保護者が把握することが非常に困難になっている。
【０００５】
たとえば、保護者は、子供が持っている興味を把握することによって、事件・事故に巻き込まれる可能性の高い場所へ立ち入らないように警戒するなど、事前に対策を練ることも可能である。また、子供が持っている興味を把握することにより、興味対象と関わり合う機会を積極的に提供することもできる。このような行動をとることで、子供との信頼関係の構築や子供の健全な育成を図ることができる。また、子供に対するサービスを提供する企業にとっては、子供が持っている興味を把握することによって、子供が持っている興味内容や興味度に応じたサービスや情報を積極的に提供することができるようになる。
【０００６】
この発明は、上述した従来技術による問題点を解消するため、効率的かつ確実に、被監督者が持っている興味内容やその興味度を判定して、判定された興味内容や興味度に応じた適切な情報を被監督者および監督者に提供することができる行動分析装置、行動分析方法、および行動分析プログラムを提供することを目的とする。
【課題を解決するための手段】
【０００７】
上述した課題を解決し、目的を達成するため、この発明にかかる行動分析方法は、所定の店舗内において検出された被監督者の位置に関する情報（以下、「位置情報」という）、および前記所定の店舗内において検出された商品の状態に関する情報（以下、「商品状態情報」という）を取得する取得工程と、前記取得工程によって取得された位置情報および商品状態情報に基づいて、前記所定の店舗内における前記被監督者の行動を特定する特定工程と、前記特定工程によって特定された前記所定の店舗内における前記被監督者の行動に基づいて、前記被監督者が興味を示した商品（以下、「興味商品」という）およびその興味度を判定する判定工程と、前記判定工程によって判定された興味商品およびその興味度に関する情報を出力する出力工程と、をコンピュータに実行させることを特徴とする。
【０００８】
また、この発明にかかる行動分析方法は、上記に記載の発明において、前記商品状態情報は、商品の位置に関する情報、商品のひずみ量に関する情報、の少なくともいずれか一方を含むことを特徴とする。
【０００９】
また、この発明にかかる行動分析方法は、上記に記載の発明において、前記判定工程によって判定された興味商品に関連する情報を取得する関連情報取得工程をさらに備え、前記出力工程は、前記関連情報取得工程によって取得された興味商品に関連する情報を出力することを特徴とする。
【００１０】
また、この発明にかかる行動分析方法は、上記に記載の発明において、前記特定工程によって特定された前記所定の店舗内における前記被監督者の行動を分析する分析工程をさらに備え、前記出力工程は、前記分析工程によって分析された結果に関する情報を出力する出力工程と、を備えたことを特徴とする。
【００１１】
また、この発明にかかる行動分析プログラムは、所定の店舗内において検出された被監督者の位置に関する情報（以下、「位置情報」という）、および前記所定の店舗内において検出された商品の状態に関する情報（以下、「商品状態情報」という）を取得する取得工程と、前記取得工程によって取得された位置情報および商品状態情報に基づいて、前記所定の店舗内における前記被監督者の行動を特定する特定工程と、前記特定工程によって特定された前記所定の店舗内における前記被監督者の行動に基づいて、前記被監督者が興味を示した商品（以下、「興味商品」という）およびその興味度を判定する判定工程と、前記判定工程によって判定された興味商品およびその興味度に関する情報を出力する出力工程と、をコンピュータに実行させることを特徴とする。
【００１２】
また、この発明にかかる行動分析装置は、所定の店舗内において検出された被監督者の位置に関する情報（以下、「位置情報」という）、および前記所定の店舗内において検出された商品の状態に関する情報（以下、「商品状態情報」という）を取得する取得手段と、前記取得手段によって取得された位置情報および商品状態情報に基づいて、前記所定の店舗内における前記被監督者の行動を特定する特定手段と、前記特定手段によって特定された前記所定の店舗内における前記被監督者の行動に基づいて、前記被監督者が興味を示した商品（以下、「興味商品」という）およびその興味度を判定する判定手段と、前記判定手段によって判定された興味商品およびその興味度に関する情報を出力する出力手段と、を備えたことを特徴とする。
【発明の効果】
【００１３】
本発明によれば、効率的かつ確実に、被監督者が持っている興味内容やその興味度を判定して、判定された興味内容や興味度に応じた適切な情報を被監督者および監督者に提供することができる行動分析装置、行動分析方法、および行動分析プログラムが得られるという効果を奏する。
【発明を実施するための最良の形態】
【００１４】
以下に添付図面を参照して、この発明にかかる行動分析装置、行動分析方法、および行動分析プログラムの好適な実施の形態を、キャッシュカード、クレジットカード、プリペイドカードなどのカード利用者を被監督者とし、その保護者を監督者とした、被監督者の行動を分析する行動分析システムを一例に詳細に説明する。
【００１５】
（実施の形態）
（行動分析システムのシステム構成）
まず、本実施の形態にかかる行動分析システムのシステム構成について説明する。図１は、本実施の形態にかかる行動分析システムのシステム構成を示す説明図である。
【００１６】
図２において、行動分析システム１００は、行動分析装置１１０と、データベースサーバ１２０と、端末装置１３０と、検出装置１４０と、を備えて構成されており、それぞれがインターネット１５０に接続されている。
【００１７】
行動分析システム１００において、行動分析装置１１０は、行動分析システム１００を司る、パーソナル・コンピュータ、ワークステーションなどのＷＥＢアプリケーションサーバである。たとえば、行動分析装置１１０は、検出装置１４０から送信された所定の店舗内において検出されたカード利用者（被監督者）の位置情報を受信する。また、行動分析装置１１０は、所定の店舗内において検出された商品の状態に関する情報（以下、「商品状態情報」という）を受信する。そして、行動分析装置１１０は、受信した位置情報と商品状態情報とに基づいて、カード利用者の行動を特定して、特定されたカード利用者の行動に関する情報（以下、「行動情報」という）をデータベースサーバ１２０に登録する。そして、行動分析装置１１０は、データベースサーバ１２０に登録されている行動情報に基づいて、カード利用者の行動や興味を分析する行動分析処理をおこなう。さらに、行動分析装置１１０は、カード利用者に提示するための、行動分析処理結果に関する情報（以下、「提示データ」という）を端末装置１３０へ送信する。
【００１８】
データベースサーバ１２０は、行動分析装置１１０によって読み書きされるデータベースとして、顧客情報ＤＢ１２１、地域情報ＤＢ１２２、店舗情報ＤＢ１２３、商品棚情報ＤＢ１２４、商品情報ＤＢ１２５、来店情報ＤＢ１２６、移動情報ＤＢ１２７、および興味情報ＤＢ１２８を保持する。なお、上記各データベースのデータ構造については、図５を用いて後述する。また、上記各種データベースは、データベースサーバ１２０に保持されているものに限らず、たとえば、行動分析装置１１０の内部に保持されているものや、行動分析装置１１０からのアクセスが可能な複数の装置にまたがって保持されているものであってもよい。
【００１９】
端末装置１３０は、ユーザ（カード利用者およびその保護者）が保持し、ディスプレイや操作ボタンなどのユーザ・インタフェースを備えたパーソナル・コンピュータなどのＷＥＢ端末装置である。この端末装置１３０は、ユーザ任意のタイミング（すなわち、行動分析装置１１０に提示データを要求したタイミング）で、行動分析装置１１０からＷＥＢページとして送信された提示データを受信して、受信した提示データをＷＥＢブラウザによって表示する。
【００２０】
なお、端末装置１３０は、パーソナル・コンピュータに限らず、たとえばＷＥＢブラウザを備えた携帯電話など、インターネット１５０に接続可能であり、かつ行動分析装置１１０から送信された提示データを表示することが可能な装置であれば、どのような装置であってもよい。
【００２１】
なお、本実施の形態においては、ユーザに対する提示データの受け渡し方法の一例として、インターネット１５０を利用したデータ通信による方法を用いて説明したが、これに限らず、たとえば、提示データが印刷された用紙や、提示データが記録された可搬性を有する記録媒体を、ユーザへ送付する方法などを用いてもよい。
【００２２】
検出装置１４０は、カード利用者が保持するカードや、商品に埋め込まれた無線ＩＣチップからデータの読み取りをおこなうリーダ／ライタである。たとえば、検出装置１４０は、店舗内においてカード利用者を検出して、検出したカード利用者の位置情報を、随時または一括して、行動分析装置１１０に対して送信する。また、検出装置１４０は、店舗内における商品の状態を検出して、検出した商品の状態に関する商品状態情報を、随時または一括して、行動分析装置１１０に対して送信する。
【００２３】
このように構成された検出装置１４０は、たとえば、店舗の出入り口に設けられ、カード利用者が入退店した際に、カード利用者が保持するカードに埋め込まれた無線ＩＣチップを検出して、この無線ＩＣチップから、顧客ＩＤなどのカード利用者を特定するための情報を読み取る。そして、読み取ったカード利用者に関する情報と、あらかじめ記録されている位置情報とを、カード利用者の位置情報として出力する。
【００２４】
また、検出装置１４０は、たとえば、店舗の商品棚に設けられ、カード利用者が商品棚に立ち寄った際に、カード利用者が保持するカードに埋め込まれた無線ＩＣチップを検出して、この無線ＩＣチップからカード利用者に関する情報を読み取る。そして、読み取ったカード利用者に関する情報と、あらかじめ記録されている位置情報とを、カード利用者の位置情報として出力する。
【００２５】
また、検出装置１４０は、たとえば、店舗の商品棚に設けられ、一定のサイクルで、商品に埋め込まれた無線ＩＣチップを検出して、この無線ＩＣチップから、商品ＩＤなどの商品を特定するための情報や、商品の状態に関する商品状態情報を読み取る。そして、読み取った商品状態情報を出力する。
【００２６】
ここで、商品状態情報は、商品位置情報と、ひずみ量情報とを含む。商品位置情報とは、商品に埋め込まれた距離センサなどによって検出された、商品の位置やその変位を示すものである。また、ひずみ量情報とは、商品に埋め込まれたひずみゲージによって検出された、商品のひずみ量を示すものである。たとえば、商品位置情報には、商品棚と商品との距離や角度などが示されている。なお、商品位置情報は、商品棚と商品との相対的な位置関係を示すものに限らず、座標値などの商品の絶対的な位置を示すものであってもよい。また、商品位置情報に示された情報は、距離センサによって検出されたものに限らず、たとえば、変位センサ、光センサ、加速度センサなど、商品の位置やその変位を高精度で検出することが可能なその他のセンサによって検出されたものであってもよい。
【００２７】
また、検出装置１４０は、たとえば、店舗の会計場所に設けられ、カード利用者が商品を購入する際に、カード利用者が保持するカードに埋め込まれた無線ＩＣチップを検出して、この無線ＩＣチップから、顧客ＩＤなどのカード利用者を特定するための情報を読み取る。そして、読み取ったカード利用者に関する情報と、あらかじめ記録されている位置情報とを、カード利用者の位置情報として出力する。同時に、商品に埋め込まれた無線ＩＣチップを検出して、この無線ＩＣチップから、商品ＩＤなどの商品を特定するための情報を読み取る。そして、読み取った商品状態情報を出力する。
【００２８】
（行動分析装置１１０のハードウェア構成）
つぎに、本実施の形態にかかる行動分析装置１１０のハードウェア構成について説明する。図２は、本実施の形態にかかる行動分析装置１１０のハードウェア構成の一例を示すブロック図である。
【００２９】
図２において、行動分析装置１１０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ＨＤＤ（Ｈａｒｄ  Ｄｉｓｃ  Ｄｒｉｖｅ）２０４と、ＨＤ（Ｈａｒｄ  Ｄｉｓｃ）２０５と、ＦＤＤ（Ｆｌｅｘｉｂｌｅ  Ｄｉｓｃ  Ｄｒｉｖｅ）２０６と、ＦＤ（Ｆｌｅｘｉｂｌｅ  Ｄｉｓｃ）２０７と、ディスプレイ２０８と、Ｉ／Ｆ（インタフェース）２０９と、キーボード２１０と、マウス２１１と、プリンタ２１２と、を備えて構成されており、上記各構成部はバス２００などによってそれぞれ接続されている。
【００３０】
ＣＰＵ２０１は、行動分析装置１１０の全体の制御を司る。ＲＯＭ２０２は、各種制御プログラムなどを記録する。ＲＡＭ２０３は、ＣＰＵ２０１のワークエリアとして使用される。ＨＤＤ２０４はＣＰＵ２０１の制御命令に従って、ＨＤ２０５に対するデータの読み取り／書き込みを制御する。ＨＤ２０５は、ＨＤＤ２０４の制御で書き込まれたデータを記録する。ＦＤＤ２０６はＣＰＵ２０１の制御命令に従って、ＦＤ２０７に対するデータの読み取り／書き込みの制御をおこなう。
【００３１】
ＦＤ２０７は、ＦＤＤ２０６の制御で書き込まれたデータを記録する着脱可能な記録媒体である。着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。
【００３２】
ディスプレイ２０８は、テキストデータ、画像データなどの各種情報を表示する。ディスプレイ２０８は、たとえばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００３３】
Ｉ／Ｆ２０９は、通信回線を通じてインターネット１５０に接続され、インターネット１５０を介して、他の情報処理装置（たとえば図１に示した端末装置１３０やデータベースサーバ１２０など）に接続される。
【００３４】
そして、Ｉ／Ｆ２０９は、インターネット１５０と装置内部とのインタフェースを司り、他の情報処理装置とのデータの入出力を制御する。Ｉ／Ｆ２０９は、たとえばモデムやＬＡＮアダプタなどである。また、Ｉ／Ｆ２０９は、ＵＳＢなどの外部入出力としても用いることができる。
【００３５】
キーボード２１０およびマウス２１１は、各種データの入力・設定などに用いる。プリンタ２１２は、各種情報の印刷に用いる。プリンタ２１２として、たとえばレーザプリンタやインクジェットプリンタなどを用いることができる。
【００３６】
（行動分析装置１１０の機能的構成）
つぎに、本実施の形態にかかる行動分析装置１１０の機能的構成について説明する。図３は、本実施の形態にかかる行動分析装置１１０の機能的構成の一例を示すブロック図である。
【００３７】
図３において、行動分析装置１１０は、取得部３０１と、特定部３０２と、登録部３０３と、判定部３０４と、関連情報取得部３０５と、分析部３０６と、出力部３０７とによって構成されている。
【００３８】
このうち、取得部３０１は、検出装置１４０から出力された位置情報および商品状態情報を取得する。取得部３０１は、具体的には、たとえば図２に示したＩ／Ｆ２０９によってその機能を実現する。
【００３９】
特定部３０２は、取得部３０１によって取得された位置情報および商品状態情報に基づいて、所定の店舗内におけるカード利用者の行動を特定する。たとえば、特定部３０２は、位置情報および商品状態情報から、カード利用者が来店した店舗に関する、入店日時、退店日時などを特定する。また、たとえば、特定部３０２は、位置情報および商品状態情報から、カード利用者が立ち寄った商品棚に関する、接近時刻、遠離時刻などを特定する。
【００４０】
また、たとえば、特定部３０２は、位置情報および商品状態情報から、カード利用者が手に取った商品、手に取った時刻、商品棚に置いた時刻などを特定する。たとえば、特定部３０２は、商品状態情報に含まれる商品位置情報やひずみ量情報から、商品の変動を検出することで、手に取られた商品、手に取られた時刻、商品棚に置かれた時刻を特定することができる。また、位置情報から、この商品が陳列されている商品棚近辺で検出されたカード利用者を検出することで、この商品を手に取ったカード利用者を特定することができる。
【００４１】
また、たとえば、特定部３０２は、位置情報および商品状態情報から、カード利用者が購入した商品、購入時刻、購入数量、購入金額などを特定する。特定部３０２は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００４２】
登録部３０３は、特定部３０２によって特定された所定の店舗内におけるカード利用者の行動に関する行動情報をデータベースに登録する。ここで、データベースに登録される行動情報は、カード利用者による所定の店舗への入退店に関する情報（以下「来店情報」という）と、所定の店舗内におけるカード利用者の位置に関する情報（以下「移動情報」という）と、カード利用者が手にした商品および購入した商品に関する情報（すなわち、興味を示した商品に関する情報。以下「興味情報」という）と、に分類される。
【００４３】
たとえば、登録部３０３は、行動情報のうち、来店情報を来店情報ＤＢ１２６に登録する。また、登録部３０３は、行動情報のうち、移動情報を移動情報ＤＢ１２７に登録する。そして、登録部３０３は、行動情報のうち、興味情報を興味情報ＤＢ１２８に登録する。登録部３０３は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００４４】
判定部３０４は、登録部３０３によってデータベースに登録された行動情報に基づいて、カード利用者が興味を示した商品（以下、「興味商品」という）およびその興味度を判定する。判定部３０４は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。なお、判定部３０４による興味商品およびその興味度の判定処理手順の一例については図６を用いて後述する。
【００４５】
関連情報取得部３０５は、判定部３０４によって判定された興味商品に関連する情報（以下、「関連情報」という）を取得する。関連情報としては、たとえば、興味商品に関連するイベント情報や、興味商品を扱う店舗情報、興味商品の割引情報、興味商品を扱うホームページへのリンク情報、興味商品に興味を持つユーザとのコミュニケーションに関する情報、などが挙げられる。関連情報取得部３０５は、これらの関連情報を、行動分析装置１１０や、データベースサーバ１２０、その他の情報処理装置などから取得する。関連情報取得部３０５は、具体的には、たとえば図２に示したＩ／Ｆ２０９によってその機能を実現する。
【００４６】
分析部３０６は、登録部３０３によってデータベースに登録された行動情報に基づいて、カード利用者がおこなった行動を分析する。たとえば、データベースに登録されているカード利用者に関する行動情報および別のカード利用者に関する行動情報に基づいて、興味商品、興味度、カードの利用状況、立ち寄り地域、立ち寄り場所など、カード利用者による各種行動の傾向や対処方法などを導き出す。分析部３０６は、具体的には、たとえば図２に示したＩ／Ｆ２０９によってその機能を実現する。
【００４７】
出力部３０７は、カード利用者およびその保護者に提示する提示データを出力する。ここで、出力部３０７によって出力される提示データとしては、判定部３０４によって判定された興味商品およびその興味度に関する情報（以下、「興味度情報」という）、関連情報取得部３０５によって取得された関連情報、および分析部３０６によって分析された結果に関する情報（以下、「分析情報」という）、などが挙げられる。
【００４８】
このとき、出力部３０７は、カード利用者とその保護者に対して、それぞれ異なる情報を提示データとして送信することができる。たとえば、カード利用者に対しては、関連情報を送信して、カード利用者の保護者に対しては、興味度情報および分析情報を送信することができる。出力部３０７が、どのユーザに対して、どの情報を送信するかについては、あらかじめユーザが設定した情報などに基づいて決定される。出力部３０７は、具体的には、たとえば図２に示したＩ／Ｆ２０９によってその機能を実現する。
【００４９】
（行動情報の一例）
つぎに、登録部３０３によって登録される行動情報の一例について説明する。図４は、登録部３０３によって登録される行動情報の一例を示す説明図である。
【００５０】
図４に示すように、行動情報４００は、カード利用者の行動に関するものであって、来店情報４１０と、移動情報４２０と、興味情報４３０と、を含んで構成されている。
【００５１】
来店情報４１０は、カード利用者による店舗への入退店に関する情報であって、カード利用者を特定するための「顧客ＩＤ」と、カード利用者が来店した店舗を特定するための「店舗ＩＤ」と、カード利用者が入退店した日時を特定するための「来店日」，「入店時刻」，「退店時刻」と、が示されている。
【００５２】
また、移動情報４２０は、店舗内において検出されたカード利用者の位置に関する情報であって、カード利用者が立ち寄った商品棚を特定するための「商品棚ＩＤ」と、カード利用者が商品棚に接近した時刻を特定するための「接近時刻」と、カード利用者が商品棚から遠離した時刻を特定するための「遠離時刻」と、が示されている。
【００５３】
そして、興味情報４３０は、カード利用者が手にした商品および購入した商品に関する情報であって、商品を特定するための「商品ＩＤ」と、商品を手に取った時刻を特定するための「持ち時刻」と、商品を商品棚に置いた時刻を特定するための「置き時刻」と、商品を購入した時刻を特定するための「購入時刻」と、購入した商品の数量を特定するための「購入数量」と、商品の購入金額を特定するための「購入金額」と、が示されている。
【００５４】
（データベースサーバ１２０のデータベース構成）
つぎに、データベースサーバ１２０のデータベース構成について説明する。図５は、データベースサーバ１２０のデータベース構成を示す説明図である。
【００５５】
図５に示すように、データベースサーバ１２０は、行動分析装置１１０によって読み書きされるデータベースとして、顧客情報ＤＢ１２１、地域情報ＤＢ１２２、店舗情報ＤＢ１２３、商品棚情報ＤＢ１２４、商品情報ＤＢ１２５、来店情報ＤＢ１２６、移動情報ＤＢ１２７、および興味情報ＤＢ１２８を保持する。このうち、顧客情報ＤＢ１２１、地域情報ＤＢ１２２、店舗情報ＤＢ１２３、商品棚情報ＤＢ１２４、および商品情報ＤＢ１２５は、他のデータベースから参照されるいわゆるマスターテーブルである。
【００５６】
顧客情報ＤＢ１２１には、カード利用者および保護者ごとに、「住所」，「氏名」，「年齢」，「性別」，「電話番号」，「ＨＰアドレス」，「監督者ＩＤ」が、カード利用者および保護者を特定するための「顧客ＩＤ」に関連付けられて記録される。ここで、「監督者ＩＤ」には、カード利用者の場合のみ、保護者の「顧客ＩＤ」が設定される。また、「ＨＰアドレス」には、カード利用者および保護者専用のホームページアドレスが設定される。
【００５７】
たとえば、カード利用者の場合は、端末装置１３０からこのホームページアドレスにアクセスすることによって、自ら興味を示す興味商品に関連する関連情報などが示されたＷＥＢページ（提示データ）を受信して、端末装置１３０の画面上に表示させることができる。
【００５８】
また、たとえば、保護者の場合は、端末装置１３０からこのホームページアドレスにアクセスすることによって、自ら監督するカード利用者に関する興味度情報および分析情報などが示されたＷＥＢページ（提示データ）を受信して、端末装置１３０の画面上に表示させることができる。
【００５９】
地域情報ＤＢ１２２には、地域ごとに、「地域名」が、地域を特定するための「地域ＩＤ」に関連付けられて記録される。また、店舗情報ＤＢ１２３には、店舗ごとに、「地域ＩＤ」，「住所」，「店舗名」，「電話番号」が、店舗を特定するための「店舗ＩＤ」に関連付けられて記録される。
【００６０】
商品棚情報ＤＢ１２４には、商品棚ごとに、この商品棚が備えられた店舗を特定するための「店舗ＩＤ」と、「商品棚名」とが、商品棚を特定するための「商品棚ＩＤ」に関連付けられて記録される。また、商品情報ＤＢ１２５には、商品ごとに、この商品が陳列された商品棚を特定するための「商品棚ＩＤ」と、「商品名」と、「単価」とが、商品を特定するための「商品ＩＤ」に関連付けられて記録される。
【００６１】
来店情報ＤＢ１２６には、取得情報のうちの来店情報４１０（図４参照）が、来店情報４１０を特定するための「来店ＩＤ」に関連付けられて記録される。また、移動情報ＤＢ１２７には、取得情報のうちの移動情報４２０（図４参照）が、来店情報４１０を特定するための「来店ＩＤ」と関連付けられて記録される。そして、興味情報ＤＢ１２８には、取得情報のうちの興味情報４３０（図４参照）が、来店情報４１０を特定するための「来店ＩＤ」と関連付けられて記録される。
【００６２】
（興味商品およびその興味度の判定処理手順の一例）
つぎに、判定部３０４による興味商品およびその興味度の判定処理手順の一例について説明する。図６は、判定部３０４による興味商品およびその興味度の判定処理手順の一例を示すフローチャートである。
【００６３】
まず、カード利用者が来店した店舗を特定する（ステップＳ６０１）。ここで、カード利用者が来店した店舗は、来店情報ＤＢ１２６に記録されている来店情報から、判断することができる。そして、ステップＳ６０１で特定された店舗に販売されている商品全てに関する興味度を「１」とする（ステップＳ６０２）。
【００６４】
つぎに、カード利用者が立ち寄った商品棚を特定する（ステップＳ６０３）。カード利用者が興味を示し、立ち寄った商品棚は、移動情報ＤＢ１２７に記録されている移動情報から、判断することができる。そして、ステップＳ６０３で特定された商品棚に陳列されている商品全てに関する興味度を「２」とする（ステップＳ６０４）。
【００６５】
つぎに、カード利用者が手に取った商品を特定する（ステップＳ６０５）。ここで、カード利用者が手に取った商品は、興味情報ＤＢ１２８に記録されている興味情報から、判断することができる。そして、カード利用者が手に取った商品に関する興味度を「３」とする（ステップＳ６０６）。
【００６６】
つぎに、カード利用者が一定時間以上手に取った商品を特定する（ステップＳ６０７）。ここで、カード利用者が一定時間手に取った商品は、興味情報ＤＢ１２８に記録されている興味情報から、判断することができる。そして、カード利用者が一定時間以上手に取った商品に関する興味度を「４」とする（ステップＳ６０８）。
【００６７】
つぎに、カード利用者が購入した商品を特定する（ステップＳ６０９）。ここで、カード利用者が購入した商品は、興味情報ＤＢ１２８に記録されている興味情報から、判断することができる。そして、カード利用者が購入した商品に関する興味度を「５」として（ステップＳ６１０）、一連の処理を終了する。
【００６８】
（行動分析装置１１０による行動情報の登録処理の手順）
つぎに、行動分析装置１１０による行動情報の登録処理の手順の一例について説明する。図７は、行動分析装置１１０による行動情報の登録処理の手順の一例を示すフローチャートである。
【００６９】
まず、取得部３０１によって、検出装置１４０から出力された位置情報および商品状態情報を取得して（ステップＳ７０１）、特定部３０２によって、ステップＳ７０１で取得された位置情報および商品状態情報に基づいて、所定の店舗内におけるカード利用者の行動を特定する（ステップＳ７０２）。
【００７０】
そして、登録部３０３によって、ステップＳ７０２で特定された所定の店舗内におけるカード利用者の行動に関する行動情報をデータベースに登録して（ステップＳ７０３）、一連の処理を終了する。たとえば、行動分析装置１１０は、位置情報および商品状態情報の受信を常に待機しており、検出装置１４０から位置情報および商品状態情報が送信される度に、上記手順による行動情報の登録処理をおこなう。
【００７１】
（行動分析装置１１０による提示データの出力処理の手順）
つぎに、行動分析装置１１０による提示データの出力処理の手順の一例について説明する。図８は、行動分析装置１１０による提示データの出力処理の手順の一例を示すフローチャートである。
【００７２】
まず、判定部３０４によって、図７を用いて説明した行動情報の登録処理によってデータベースに登録された行動情報に基づいて、カード利用者が興味を示す興味商品およびその興味度を判定する（ステップＳ８０１）。判定部３０４による興味商品およびその興味度の判定処理手順については、図６で説明したとおりである。そして、関連情報取得部３０５によって、ステップＳ８０１で判定された興味商品に関連する関連情報を取得する（ステップＳ８０２）。
【００７３】
つぎに、分析部３０６によって、図７を用いて説明した行動情報の登録処理によってデータベースに登録された行動情報に基づいて、カード利用者がおこなった興味商品に対する行動を分析する（ステップＳ８０３）。そして、出力部３０７によって、提示データを出力して（ステップＳ８０４）、一連の処理を終了する。行動分析装置１１０は、カード利用者または保護者が利用する端末装置１３０からのＷＥＢページのアクセス要求（たとえば、ｈｔｔｐリクエスト）の受信を常に待機しており、端末装置１３０から送信されたアクセス要求を受信する度に、上記手順による提示データの出力処理をおこなう。
【００７４】
（来店情報ＤＢ１２６に登録された来店情報の一例）
つぎに、登録部３０３によって来店情報ＤＢ１２６に登録された来店情報の一例について説明する。図９は、登録部３０３によって来店情報ＤＢ１２６に登録された来店情報の一例を示す説明図である。
【００７５】
このように、来店情報ＤＢ１２６に登録された来店情報は、判定部３０４によって読み取られ、カード利用者が来店した店舗を特定する際の判断材料として用いられる。たとえば、図９に示す来店情報からは、顧客ＩＤ「０００１」を有するカード利用者が、店舗ＩＤ「Ｓ０１」を有する店舗に来店したと判断することができる。
【００７６】
これにより、判定部３０４は、顧客ＩＤ「０００１」を有するカード利用者の、店舗ＩＤ「Ｓ０１」を有する店舗に販売されている商品の興味度を「１」と判定することができる。
【００７７】
（移動情報ＤＢ１２７に登録された移動情報の一例）
つぎに、登録部３０３によって移動情報ＤＢ１２７に登録された移動情報の一例について説明する。図１０は、登録部３０３によって移動情報ＤＢ１２７に登録された移動情報の一例を示す説明図である。
【００７８】
このように、移動情報ＤＢ１２７に登録された移動情報は、判定部３０４によって読み取られ、カード利用者が立ち寄った商品棚を特定する際の判断材料として用いられる。たとえば、図１０に示す移動情報からは、カード利用者が、商品棚ＩＤ「Ｓ０１−Ｔ０１」を有する商品棚、および商品棚ＩＤ「Ｓ０１−Ｔ０２」を有する商品棚に立ち寄ったと判断することができる。そして、この移動情報の来店ＩＤ「０００１−０００１」と、来店情報ＤＢ１２６に登録されている来店情報とから、上記商品棚に立ち寄ったカード利用者の顧客ＩＤは、「０００１」であると判断することができる。
【００７９】
これにより、判定部３０４は、顧客ＩＤ「０００１」を有するカード利用者の、商品棚ＩＤ「Ｓ０１−Ｔ０１」および「Ｓ０１−Ｔ０２」を有する商品棚に陳列されている商品の興味度を「２」と判定することができる。
【００８０】
（興味情報ＤＢ１２８に登録された興味情報の一例）
つぎに、登録部３０３によって興味情報ＤＢ１２８に登録された興味情報の一例について説明する。図１１は、登録部３０３によって興味情報ＤＢ１２８に登録された興味情報の一例を示す説明図である。
【００８１】
このように、興味情報ＤＢ１２８に登録された興味情報は、判定部３０４によって読み取られ、カード利用者が手に取った商品を特定する際の判断材料として用いられる。たとえば、図１１に示す興味情報からは、カード利用者が、商品ＩＤ「Ｓ０１−Ａ０００１」を有する商品、商品ＩＤ「Ｓ０１−Ａ０００２」を有する商品、および商品ＩＤ「Ｓ０１−Ａ０００３」を有する商品を手に取ったと判断することができる。
【００８２】
また、興味情報ＤＢ１２８に登録された興味情報は、判定部３０４によって読み取られ、カード利用者が一定時間以上手に取った商品を特定する際の判断材料として用いられる。たとえば、一定時間を「１０分」とした場合、図１１に示す興味情報からは、カード利用者が、商品ＩＤ「Ｓ０１−Ａ０００２」を有する商品、および商品ＩＤ「Ｓ０１−Ａ０００３」を有する商品を一定時間手に取ったと判断することができる。
【００８３】
さらに、興味情報ＤＢ１２８に登録された興味情報は、判定部３０４によって読み取られ、カード利用者が購入した商品を特定する際の判断材料として用いられる。たとえば、図１１に示す興味情報からは、カード利用者が、商品ＩＤ「Ｓ０１−Ａ０００３」を有する商品を購入したと判断することができる。
【００８４】
そして、この興味情報の来店ＩＤ「０００１−０００１」と、来店情報ＤＢ１２６に登録されている来店情報とから、上記カード利用者の顧客ＩＤは、「０００１」であると判断することができる。
【００８５】
これにより、判定部３０４は、顧客ＩＤ「０００１」を有するカード利用者の、商品ＩＤ「Ｓ０１−Ａ０００１」を有する商品の興味度を「３」と判定し、商品ＩＤ「Ｓ０１−Ａ０００２」を有する商品の興味度を「４」と判定し、商品ＩＤ「Ｓ０１−Ａ０００３」を有する商品の興味度を「５」と判定することができる。
【００８６】
（出力部３０７によって出力された提示データの一例）
つぎに、出力部３０７によって出力された提示データの一例について説明する。図１２および図１３は、出力部３０７によって出力された提示データの一例を示す説明図である。
【００８７】
図１２は、出力部３０７によって出力された提示データの一例として、カード利用者の保護者（監督者）が利用する端末装置１３０に表示された提示データを示したものである。たとえば、図１２に示す提示データには、カード利用者（被監督者）が興味を示す興味商品およびその興味度に関する情報（興味度情報）、カード利用者の行動履歴、カード利用者が利用可能なカードの利用残高、カード利用者の行動の分析結果（分析情報）などが、テキストデータおよびレーダーチャートによって示されている。
【００８８】
カード利用者の保護者は、このように表示された提示データによってカード利用者の興味商品、興味度、行動の履歴や傾向、対策などを把握したうえで、たとえば、リンク情報「利用可能残高を変更する」によるリンク先のページによって、カード利用可能額を増減したり、興味商品へのカード利用に対する利用制限を設定したりすることができる。
【００８９】
なお、図１２に示した提示データの他にも、カード利用者の画像、図１３に示すようなカード利用者に提示される情報、カード利用者によるブログなどへのアクセス履歴、カード関連リンク集、などを提示データとして表示するようにしてもよい。
【００９０】
一方、図１３は、出力部３０７によって出力された提示データの一例として、カード利用者が利用する端末装置１３０に表示された提示データを示したものである。たとえば、図１３に示す提示データには、このカード利用者が興味を示す興味商品「カードゲームＸ」に関連する関連情報が示されている。その他にも、他のカード利用者が興味を示す興味商品に関する情報や、カード利用者の行動に基づくアドバイス、他のカード利用者とのコミュニケーションをおこなうための情報、カードの利用残高などが示されている。
【００９１】
図１３に示した提示データの他にも、カード利用者がお気に入りの画像、勉強情報、交通情報、カード利用者によって要求された分野の情報、などの生活サービス情報を提示データとして表示するようにしてもよい。また、これらの情報を表示する表示画面の背景や表示レイアウトなどの表示設定を、カード利用者が自由に設定できるようにしてもよい。
【００９２】
以上説明したように、本実施の形態にかかる行動分析装置、行動分析方法、および行動分析プログラムによれば、位置情報および商品状態情報を取得し、取得された位置情報および商品状態情報に基づいて、カード利用者の行動を特定し、特定されたカード利用者の行動に基づいて、カード利用者の興味内容および興味度を判定し、判定された興味内容および興味度に関する情報を出力する構成とした。これにより、カード利用者に意識させることなく、効率的かつ確実に、カード利用者が持っている興味内容および興味度を判定して、判定した興味内容および興味度を保護者に把握させることができる。
【００９３】
また、カード利用者が検出された位置、商品位置、商品ひずみ量、などの情報に基づいて、カード利用者の行動（入退店、移動経路、手にした商品、購入した商品など）を高い精度で特定して、特定された複数の判定要因に基づいて、興味内容および興味度を判定する判定方法を用いた。このため、ただ単に、興味を持つ商品を判定するだけでなく、興味を持つ商品にどれくらい興味を持っているかを高い精度で判定することができる。これにより、より効率的かつ確実に、カード利用者が持っている興味内容および興味度を判定して、判定した興味内容および興味度を保護者に把握させることができる。
【００９４】
また、判定された興味内容に関連する関連情報を取得し、取得された関連情報を出力する構成とした。これにより、より効率的かつ確実に、カード利用者が持っている興味内容および興味度を判定して、判定した興味内容および興味度を保護者に把握させることができるだけでなく、膨大な情報の中から、カード利用者および保護者に有益かつ適切な情報を抽出し、カード利用者および保護者に提供することができる。
【００９５】
また、カード利用者がおこなった行動を分析し、その結果に関する情報（分析情報）を出力する構成とした。これにより、カード利用者の行動や傾向を明らかにして、その対処方法を検討する際の判断材料として保護者に提供することができる。
【００９６】
なお、本実施の形態で説明した行動分析方法は、あらかじめ用意されたプログラムをパーソナル・コンピュータやワークステーションなどの行動分析装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００９７】
以上のように、本発明にかかる行動分析装置、行動分析方法、および行動分析プログラムは、監督者（たとえば保護者や雇用者など）による被監督者（たとえば子供や被雇用者など）の行動分析などに利用可能であり、特に、保護者によって与えられたカードを保持する子供の行動の把握・分析・適正化を目的としたサービスに有用である。また、保護者によって与えられたカードを保持する子供やその保護者に対する適切な情報提供を目的としたサービスにも有用である。
【図面の簡単な説明】
【００９８】
【図１】本実施の形態にかかる行動分析システムのシステム構成を示す説明図である。
【図２】本実施の形態にかかる行動分析装置のハードウェア構成の一例を示すブロック図である。
【図３】本実施の形態にかかる行動分析装置の機能的構成の一例を示すブロック図である。
【図４】登録部によって登録される行動情報の一例を示す説明図である。
【図５】データベースサーバのデータベース構成を示す説明図である。
【図６】判定部による興味商品およびその興味度の判定処理手順の一例を示すフローチャートである。
【図７】行動分析装置による行動情報の登録処理の手順の一例を示すフローチャートである。
【図８】行動分析装置による提示データの出力処理の手順の一例を示すフローチャートである。
【図９】登録部によって来店情報ＤＢに登録された来店情報の一例を示す説明図である。
【図１０】登録部によって移動情報ＤＢに登録された移動情報の一例を示す説明図である。
【図１１】登録部によって興味情報ＤＢに登録された興味情報の一例を示す説明図である。
【図１２】出力部によって出力された提示データの一例を示す説明図である。
【図１３】出力部によって出力された提示データの一例を示す説明図である。
【符号の説明】
【００９９】
１００  行動分析システム
１１０  行動分析装置
１２０  データベースサーバ
１２１  顧客情報ＤＢ
１２２  地域情報ＤＢ
１２３  店舗情報ＤＢ
１２４  商品棚情報ＤＢ
１２５  商品情報ＤＢ
１２６  来店情報ＤＢ
１２７  移動情報ＤＢ
１２８  興味情報ＤＢ
１３０  端末装置
１４０  検出装置
１５０  インターネット
３０１  取得部
３０２  特定部
３０３  登録部
３０４  判定部
３０５  関連情報取得部
３０６  分析部
３０７  出力部
【図１】
2008217128.tif 000003
【図２】
2008217128.tif 000004
【図３】
2008217128.tif 000005
【図４】
2008217128.tif 000006
【図５】
2008217128.tif 000007
【図６】
2008217128.tif 000008
【図７】
2008217128.tif 000009
【図８】
2008217128.tif 000010
【図９】
2008217128.tif 000011
【図１０】
2008217128.tif 000012
【図１１】
2008217128.tif 000013
【図１２】
2008217128.tif 000014
【図１３】
2008217128.tif 000015